(57)【特許請求の範囲】
【請求項１】
遠隔操作信号のための送信器を備えたリモコン機能付きカーラジオであって、
前記カーラジオは、遠隔操作信号のための受信装置（８）を備えており、さらにその機能制御のために、案内スロット（５）内に挿入可能なチップカード（６）を有している形式のものにおいて、
前記チップカード（６）は、遠隔操作信号のための受信装置（８）を備えており、そのコンタクト（７）を介してカーラジオの制御部と接続され、前記チップカードによって遠隔操作信号に応答する制御機能が実施可能であることを特徴とする、カーラジオ。
【請求項２】
前記チップカード（６）は、受信した遠隔操作信号のための増幅器（９）を有している、請求項１記載のカーラジオ。
【請求項３】
前記チップカード（６）は、受信した遠隔操作信号のためのデコーダ（１２）を有している、請求項１又は２記載のカーラジオ。
【請求項４】
前記チップカード（６）は、受信した遠隔操作信号に相応して制御信号をセットアップするためのマイクロプロセッサ（１４）を有している、請求項３記載のカーラジオ。
【請求項５】
前記チップカード（６）は、基本キーカードを用いてプログラミング可能な第２のキーカードとして構成されている、請求項１〜４いずれか１項記載のカーラジオ。
【請求項６】
前記受信装置は、赤外線受信ダイオード（８）を有している請求項１〜５いずれか１項記載のカーラジオ。
【発明の詳細な説明】
【０００１】
本発明は、遠隔操作信号のための送信器を備えたリモコン機能付きカーラジオであって、前記カーラジオは、遠隔操作信号のための受信装置を備えており、さらにその機能制御のために、案内スロット内に挿入可能なチップカードを有している、カーラジオに関している。
【０００２】
カーラジオをリモコンによって操作する需要は年々益々高まっている。このリモコンによれば、カーラジオを例えば後部座席からもスイッチオンすることができ、また例えば新たな放送局をサーチしたり、音量を調整することも可能である。遠隔操作信号発信器がハンドルに組付けられている場合には、安全技術上の面からも有利である。この場合はカーラジオがハンドルから手を離すことなく操作可能となる。
【０００３】
いずれにせよ、カーラジオの遠隔操作のための増加コストは、カーラジオがリモコンを標準装備することを不可能にする。それ故有利には、カーラジオの構成を遠隔操作機能の後装備が可能となるようにすることが望まれる。
【０００４】
これに対しては、カーラジオに、遠隔操作信号受信器を付加ボックスとしてカーラジオに固定して接続を形成するインターフェースを設けることが公知である。この付加ボックスの配設によって、著しい組込みコストは避けられない。なぜなら一般的に専門能力によって組込みが行われなければならない〜である。
【０００５】
カーラジオは、一般に夥しい付加的特徴（ＲＤＳ受信、別個の無線交通情報チャネル、カセット駆動機構、ＣＤ駆動機構など）を備え、著しい価値を呈するものなので、カーラジオの盗難に対処すべくカーラジオが窃盗犯に役立たなくなるようにさせることが試みられる。このことは、次のようにして行われる。すなわちコードが入力された場合にのみカーラジオが操作可能となるように行われる。また、カーラジオに所属するチップカードが“キーカード”として機器に挿入された場合にのみカーラジオを操作可能にさせることも公知である。このキーカードには場合によって本体機器内に記憶されているコードと同一の複雑なコードが記憶される。それにより、このカーラジオはキーカードなしでは操作不能である。
【０００６】
本発明の課題は、後装備可能な遠隔操作機能に対する受容性を高めるべくカーラジオの後装備可能な遠隔操作機能に係わるコストを低減させることである。
【０００７】
前記課題は本発明により、チップカードは、遠隔操作信号のための受信装置を備えており、そのコンタクトを介してカーラジオの制御部と接続され、前記チップカードによって遠隔操作信号に応答する制御機能が実施可能であるように構成されて解決される。
【０００８】
本発明によるカーラジオの遠隔操作部の構成は、カーラジオにおける何らかの組付けコストを必要としない。なぜならチップカードの受信装置を介して受信される遠隔操作信号のカーラジオへの入力結合がチップカードのコンタクト面とカーラジオの相応のコンタクト面を介して行われるからである。チップカードと遠隔操作信号用の受信装置（例えば赤外線受信ダイオード）とのセットアップは、チップカードが常に挿入スリットからやや突出し、受信装置が挿入されたチップカードの突出した領域内に設けることができる場合には問題ない。このようにして、赤外線遠隔操作に対して一般的に必要とされる発信器と受信器の間の見通し接続を実現することがなされる。
【０００９】
有利にはチップカードはさらに集積化された増幅器と、有利には、受信遠隔操作信号のためのフィルタを有する。それにより、受信した遠隔操作信号の増幅が操作性向上のために受信端子において直接実行される。これによりカーラジオへの伝送経路上の障害による信号改ざんの危険性が回避される。
【００１０】
またチップカードには、受信した遠隔操作信号のためのデコーダや場合によってカーラジオの制御信号セットアップ用のマイクロプロセッサを備えさせることも考えられる。これによりカーラジオへの遠隔操作機能の後装備のためのハードウエアコストを十分に低減させることができる。しかしながらデコーダに対するコスト係数は非常に高いわけではなく、マイクロプロセッサの機能を規則的な遠隔操作信号の処理のために既存のマイクロプロセッサの相応のプログラミングによって行わせることも可能なので、チップカードにデコーダ及び/又はマイクロプロセッサを装備させるか否かの考慮は、まず第１に経済的なことに左右される。
【００１１】
キーカードによって保守されているカーラジオに対しては、特に有利には、遠隔操作用に設けられるチップカードが、基本的キーカードを用いてプログラミングされる第２のキーカードとして構成される。これに対してキーカードにはメモリかマイクロプロセッサが設けられる。この場合には、遠隔操作機能に対して設けられたチップカードがキーカードの機能を伴う。それにより２つのチップカードの管理の必要性が回避される。同じようにチップカードは、他のマルチ機能に対する適用性も適切なマイクロプロセッサによって形成され得る。
【００１２】
実施例
次に本発明の実施例を図面に基づき以下の明細書で詳細に説明する。この場合図１は、カーラジオに挿入可能なチップカードを備えたカーラジオの概略的な正面図であり、
図２は、チップカードの電子的構造のブロック回路図である。
【００１３】
図１には、カーラジオのフロントパネル１が示されている。このフロントパネル１には通常のように多数の設定調整素子２と、カセット挿入口３と、ディスプレイ４が設けられている。さらにチップカード６のための挿入スリット５が設けられており、このチップカード６は、図示の矢印Ａの方向でカーラジオ内に挿入シフト可能である。チップカード６の上には、コンタクトフィールド７が設けられており、このフィールドによってチップカードがカーラジオ内の相応の対抗コンタクトを介して当該カーラジオをコンタクト可能である。チップカード６の前方縁部には図示の実施例では２つの受信ダイオード８が示されており、これらは例えば赤外線ビームに対して応働可能であってもよい。この場合このビームには図示されていない遠隔操作信号発信器によってコード化されたカーラジオ設定用の制御情報が含まれる。チップカード６の前方縁部に受信ダイオード８を配設することは、コンタクト形成のためにチップカード６が挿入された場合でも受信ダイオード８が挿入口から出ていることにつながる。それにより、赤外線による遠隔操作に必要とされる受信ダイオード８に対する見通し接続が実現される。
【００１４】
しかしながらこのチップカード６にはその他の遠隔操作信号（例えば無線信号）用の受信器を設けることも可能である。この信号はいずれにせよラジオの受信や車両で実施されるＣＢ無線交信の障害につながらない周波数帯域におかれなければならない。それ故有利には無線信号のベース帯域で動作しない例えば赤外線遠隔操作信号が用いられる。
【００１５】
図２にはチップカード６上の電子構成素子の機能的な配置構成の例が示されている。赤外線信号を電気的な信号に変換する受信ダイオード８には、増幅器９が接続されており、この増幅器９には２つの線路１０を介して供給電圧が供給されている。またこの増幅器９は信号線路１１を介してデコーダ１２に接続されており、そのデコーダ１２の信号出力線路１３は、コンタクトフィールド７の対応するコンタクト面に接続されている。このコンタクトフィールド７を介して線路１０にはカーラジオからの供給電圧も供給される。コンタクトフィールド７にはさらにマイクロプロセッサ１４かまたはメモリが接続されており、これはカーラジオのセキュリティ機能専用に構成されるか、及び/又はマルチ機能の目的を果たしている。遠隔操作信号の処理とカーラジオの相応の制御信号のセットアップは、カーラジオ内でそれ専用に設けられているマイクロコンピュータかまたはメインマイクロコンピュータの形態で行われる。
【００１６】
既に前述したように、デコーダ１２とマイクロプロセッサ１２なしでチップカード６を構成することも可能である。それにより、チップカード６は受信ダイオード８と場合によって増幅器９を有するのみである。マイクロプロセッサ１４ないしメモリは、いずれにせよチップカード６がキーカードとして使用可能で第２のセキュリティカードとしてロック機能を持たせる必要性がある場合には必要となる。
【００１７】
概略的にのみ示されているチップカード６の構造は、多種多様の形態で実現可能なものである。この場合付加的な半導体素子をチップカード６に設けることももちろん可能である。
【図面の簡単な説明】
【図１】  カーラジオに挿入可能なチップカードを備えたカーラジオの概略的な正面図である。
【図２】  チップカードの電子的構造のブロック回路図である。
【図１】
0003984420.tif 000002
【図２】
0003984420.tif 000003